(57)【要約】【課題】高品位を要する用途（例えば業務用途）でも、それに支障を来たすことの無い視認性を保ちつつ、再生装置の再生応答性能を改善する。【解決手段】再生指示された素材に係るＨＤ素材のデータ（本発明に係る第１素材データ）をサーバーから取得して再生処理する機能（ステップＳ１３０〜Ｓ１６０）と、再生指示された素材に係るプロキシ素材のデータ（本発明に係る第２素材データ）をサーバーから取得して再生処理する機能（ステップＳ２００〜Ｓ２３０）と、を備えており、再生指示された素材について、ＨＤ素材の再生処理の準備（サーバーからのデータ取得やデコード処理等）が完了するまではプロキシ素材の再生処理（ステップＳ２３０）を実施し、ＨＤ素材の再生処理の準備が完了した段階でＨＤ素材の再生処理（ステップＳ１６０）に切り替える構成となっている。【選択図】図２
2014183519.tif 000002
【特許請求の範囲】
【請求項１】
映像及び音声を含む素材の再生処理を行う再生装置において、
再生を指示された素材のデータである第１素材データをサーバーから取得して再生処理する第１再生手段と、
前記指示された素材のデータであって前記第１素材データより小容量の第２素材データをサーバーから取得して再生処理する第２再生手段と、を備え、
前記指示された素材について、前記第１再生手段による再生処理の準備が完了するまでは前記第２再生手段による再生処理を実施し、前記第１再生手段による再生処理の準備が完了した段階で前記第１再生手段による再生処理に切り替える、
ことを特徴とする再生装置。
【請求項２】
前記指示された素材について、前記第１再生手段による前記第１素材データの取得に先行または並行して、前記第２再生手段による前記第２素材データの取得を行う、
ことを特徴とする請求項１に記載の再生装置。
【発明の詳細な説明】
【技術分野】
【０００１】
本発明は、映像及び音声データから成る素材を再生するビデオサーバーシステム内の再生装置における再生応答性能の改善に関する。
【背景技術】
【０００２】
ビデオサーバーシステムにおける再生装置や編集装置は、主にサーバー上の記録媒体に蓄積した本放送向けの高品位素材データであるＨＤ（Ｈｉｇｈ  Ｄｅｆｉｎｉｔｉｏｎ）素材をネットワーク経由で取得している。
サーバー上の記録媒体に蓄積されたＨＤ素材はデータ量が大きく、読み出しの高速な記録媒体や広帯域のネットワーク機器、高速処理技術を用いても、再生装置への転送完了までには相応の時間を要する。また、ＨＤ素材はデータ量が大きいため、予め再生装置内に保持する等の手法は現実的でない。
【０００３】
ビデオサーバーシステムにおける素材の試写では、しばしばＨＤ素材の代用として、データ量を低く抑えた低品位版の素材データ（プロキシ素材）をＨＤ素材の収録時などに生成しておき、これを利用してきた。
この利用によれば、データ量が小さいため転送が素早く、データ転送に起因する応答性能が改善される。また、ＨＤ素材を用いるよりもビデオサーバーシステムの設備負荷・ネットワーク負荷を低減可能である。
【０００４】
ここで、ＨＤＣＡＭ（登録商標）では、安定した等倍速再生に駆動機構を安定させるため数秒間の助走再生動作（プリロール動作）を必要とし、倍速再生では１フレームを一様に比較的小さな一定間隔単位で間引いて動画差分データを読み込み、間引き位置をシフトさせていくことによって数フレームのうちに画面全体を更新する仕組みで、全フレーム（ＮＴＳＣ（Ｎａｔｉｏｎａｌ  Ｔｅｌｅｖｉｓｉｏｎ  Ｓｙｓｔｅｍ  Ｃｏｍｍｉｔｔｅｅ）ドロップフレーム＝約２９．９７ｆｐｓ）の表示を行なっている。また、ＸＤＣＡＭ（登録商標）では、等倍速再生の準備動作は特に行なっていないが、２倍を超える高倍速再生においてフレーム間間引き表示を行なっている。
【０００５】
一方、ビデオサーバーシステムにおけるＨＤ素材再生装置や編集装置（以降、再生装置と総称）では、ＸＤＣＡＭと同様、高倍速再生時のみサーバー性能に応じて５ｆｐｓ程度のフレーム間間引き表示を行なっていた。なお、ＭＰＥＧ２やＡＶＣ−Ｉｎｔｒａ（登録商標）など採用される圧縮フォーマットの使用上、ＨＤＣＡＭのように小さな単位でデータを間引いて表示することが難しい。ＡＶＣ−Ｉｎｔｒａは、１フレームが走査線順に「スライス」という単位で１０分割されており、単位は大きいが独立したデコードが可能である。
【０００６】
昨今の再生装置の機器性能は、一般に処理負荷が大きいとされるＨＤ素材のデコードを行なっても十分に余裕を持つことが可能であり、他のタスクを並行処理する余地がある。
【０００７】
本発明に係る先行技術としては、例えば、遠隔ビデオ編集のためのシステムであって、ソース・メディア・ファイルを格納するための記憶デバイスと、低帯域幅ネットワークを通じて、前記ソース・メディア・ファイルに関するビデオ編集コマンドを受信するための入力と、前記ソース・メディア・ファイルの仮想表現であって、前記編集コマンドと、前記ソース・メディア・ファイルへのリンクとを含む、仮想表現と、広帯域幅リンクを通じて前記ソース・メディア・ファイルを読み取り、前記編集コマンドをこれに適用し、前記編集したソース・メディア・ファイルのプロキシ表現を生成するメディア配信エンジンと、前記プロキシ表現を前記低帯域幅ネットワークを通じて送信するための出力と、を含む、遠隔ビデオ編集システムの発明がある（特許文献１参照）。
【先行技術文献】
【特許文献】
【０００８】
【特許文献１】特開２０１０−２５２３２７号公報
【発明の概要】
【発明が解決しようとする課題】
【０００９】
旧来の再生装置は、高い品位を要する試写や編集業務ではプロキシ素材を一切扱わないため、プロキシ素材の活用による応答性能の改善ができなかった。
一方で、プロキシ素材を使用した使者や編集は、応答性能を改善可能だが、全編において低品位な映像・音声となるため、高い品位を要する用途には不向きだった。
【００１０】
再生装置は等速再生・倍速再生ともにＸＤＣＡＭと同等の動作をするが、本体内に格納したメディアにデータが存在するＸＤＣＡＭと比較すると、サーバーからのデータ転送を経由しているため応答性能において不利であった。
また、ＨＤＣＡＭと比較すると、ＡＶＣ−Ｉｎｔｒａのスライス単位をデータ間引きの対象としても、画面に対して分割単位が粗いため、ＨＤＣＡＭの細かな間引き方法に比べると視認性に難がある。
【００１１】
大容量のＨＤ素材を常時扱うビデオサーバーシステムでは、ネットワークやサーバーにおいて極めて高い処理能力を要求されていた。加えてその要求性能ゆえに緻密な調整を余儀なくされ、結果として開発コストを浪費せざるを得ない状況を生んでいた。
【００１２】
本発明は、上記のような従来の事情に鑑みて為されたものであり、高品位を要する用途（例えば業務用途）でも、それに支障を来たすことの無い視認性を保ちつつ、再生装置の再生応答性能を改善することを目的とする。
【課題を解決するための手段】
【００１３】
本発明は、上記の目的を達成するために、映像及び音声を含む素材の再生処理を行う再生装置を以下のように構成した。
すなわち、本発明に係る再生装置では、再生を指示された素材のデータである第１素材データをサーバーから取得して再生処理する第１再生手段と、前記指示された素材のデータであって前記第１素材データより小容量の第２素材データをサーバーから取得して再生処理する第２再生手段と、を備え、前記指示された素材について、前記第１再生手段による再生処理の準備が完了するまでは前記第２再生手段による再生処理を実施し、前記第１再生手段による再生処理の準備が完了した段階で前記第１再生手段による再生処理に切り替えることとした。
【００１４】
これにより、再生を指示された当初は、比較的速く再生処理の準備を終えることができる第２素材データの再生処理を実施するので、良好な再生応答性能を得ることが可能であるとともに、第１素材データについて再生処理の準備が完了した段階で第１素材データの再生に切り替えるので、再生開始後の或る程度の期間を除いて高品位な素材再生を実現することができ、高品位を要する用途でも、それに支障を来たすことの無い視認性を得ることが可能となる。
【００１５】
また、本発明では、上記の再生装置において、前記指示された素材について、前記第１再生手段による前記第１素材データの取得に先行または並行して、前記第２再生手段による前記第２素材データの取得を行うこととした。
これにより、再生当初は高品位な素材再生ではないとはいえ、素材再生の準備を速やかに完了させることができ、再生応答性能の更なる改善を図ることが可能である。
【発明の効果】
【００１６】
本発明によれば、高品位を要する用途でも、それに支障を来たすことの無い視認性を保ちつつ、再生装置の再生応答性能を改善することができる。
【図面の簡単な説明】
【００１７】
【図１】本発明に係る再生装置を備えたビデオサーバーシステムの構成例を示す図である。
【図２】再生装置の動作に係るフローチャートの例を示す図である。
【発明を実施するための形態】
【００１８】
本発明の一実施形態について図面を参照して説明する。
図１には、本発明に係る再生装置を備えたビデオサーバーシステムの構成例を示してある。
本例のビデオサーバーシステムは、概略的に、再生装置９０１、制御装置９０３、ＨＤ素材サーバー９１０、プロキシサーバー９２０、再生環境２２０により構成されている。なお、図示の例では各１台ずつの構成となっているが、これらの装置はそれぞれ複数であってもよい。
【００１９】
制御装置９０３は、新規素材スタンバイ指示、再生速度変更指示、表示フレームの指定（ジョグ制御など）といった各種の制御情報を含む信号を再生装置９０１に与える。
【００２０】
ＨＤ素材サーバー９１０は、ＨＤ素材（大容量の素材データ）の圧縮データを記録媒体に蓄積し、再生装置９０１からの要求に応じたＨＤ素材の圧縮データを記録媒体から読み出して要求元の再生装置９０１へ供給する。
【００２１】
プロキシサーバー９２０は、ＨＤ素材に比べてデータ量を低く抑えたプロキシ素材（小容量の素材データ）の圧縮データを記録媒体に蓄積し、再生装置９０１からの要求に応じたプロキシ素材の圧縮データを記録媒体から読み出して要求元の再生装置９０１へ供給する。
【００２２】
再生環境２２０は、再生装置９０１から供給されるＨＤ−ＳＤＩ（Ｓｅｒｉａｌ  Ｄｉｇｉｔａｌ  Ｉｎｔｅｒｆａｃｅ）形式の出力２１０に基づいて、ＨＤ素材やプロキシ素材の再生出力を行う。再生環境２２０としては、映像を再生出力（表示）するディスプレイや音声を再生出力するスピーカ等を備えた端末装置が挙げられる。
【００２３】
再生装置９０１は、ビデオサーバーシステム上のネットワークに接続され、各種の処理に必要な演算能力や記憶領域及び各種の映像音声出力インターフェースを有する。再生装置９０１は、制御装置９０３による制御に従ってＨＤ素材やプロキシ素材のデータを処理し、処理結果のデータをＨＤ−ＳＤＩ出力２１０として再生環境２２０へ供給する。
【００２４】
ここで、再生装置９０１の動作の概要を説明しておく。
再生装置９０１は、素材の再生を開始する直後に限定して、データ量が小さく、サーバーからの転送を高速に行えるプロキシ素材を再生する。すなわち、ＨＤ素材を再生する準備が完了するまでは、データ転送を高速に行えるプロキシ素材をＨＤ素材の代替として再生し、ＨＤ素材の再生準備が完了した段階で、プロキシ素材の再生からＨＤ素材の再生に切り替えることで、再生応答性能を改善する。また、プロキシ素材のデータを一部だけ装置内に蓄積しておくことで、データ転送を省略して再生応答性能の更なる改善を図る。
【００２５】
本例では、再生装置９０１は、ＨＤ素材用圧縮素材メモリ１００と、ＨＤ素材デコードライブラリ１１０と、ＨＤ素材用非圧縮素材メモリ１２０と、統合非圧縮素材メモリ１３０と、統合逆方向非圧縮素材メモリ１４０と、ＨＤ素材用逆方向圧縮素材メモリ１６０と、プロキシ用圧縮素材メモリ３００と、プロキシ素材デコードライブラリ３１０と、プロキシ用非圧縮素材メモリ３２０と、プロキシ用逆方向非圧縮素材メモリ３３０と、ＨＤ−ＳＤＩインターフェースボード９０２と、プロキシ用保存領域９３０と、を備えている。
なお、これらを用いた再生処理等の制御はプロセッサにより実施するが、その図示は省略してある。
【００２６】
ＨＤ素材用圧縮素材メモリ１００は、ＨＤ素材サーバー９１０から供給されたＨＤ素材の圧縮データを格納（保存）するメモリ領域である。
ＨＤ素材デコードライブラリ１１０は、ＨＤ素材用圧縮素材メモリ１００に格納されたＨＤ素材の圧縮データをデコードするライブラリである。
ＨＤ素材用非圧縮素材メモリ１２０は、ＨＤ素材デコードライブラリ１１０でデコードされたＨＤ素材の非圧縮データを格納（保存）するメモリ領域である。
ＨＤ素材用逆方向圧縮素材メモリ１６０は、再生とは逆方向のＨＤ素材の圧縮データを格納（保存）するメモリ領域である。
【００２７】
プロキシ用圧縮素材メモリ３００は、プロキシサーバー９２０から供給されたプロキシ素材の圧縮データを格納（保存）するメモリ領域である。
プロキシ素材デコードライブラリ３１０は、プロキシ用圧縮素材メモリ３００に格納されたプロキシ素材の圧縮データをデコードするライブラリである。
プロキシ用非圧縮素材メモリ３２０は、プロキシ素材デコードライブラリ３１０でデコードされたプロキシ素材の非圧縮データを格納（保存）するメモリ領域である。
プロキシ用逆方向非圧縮素材メモリ３３０は、再生とは逆方向のプロキシ素材の圧縮データを格納（保存）するメモリ領域である。
【００２８】
統合非圧縮素材メモリ１３０は、ＨＤ素材およびプロキシ素材の非圧縮データを統合して格納（保存）するメモリ領域である。
統合逆方向非圧縮素材メモリ１４０は、再生とは逆方向のＨＤ素材およびプロキシ素材の非圧縮データを統合して格納（保存）するメモリ領域である。
【００２９】
ＨＤ−ＳＤＩインターフェースボード９０２は、統合非圧縮素材メモリ１３０に格納されたＨＤ素材またはプロキシ素材の非圧縮データを再生して再生環境２２０へ出力するための映像音声出力インターフェースであり、出力バッファ２００及び逆方向出力バッファ２３０を有している。
【００３０】
プロキシ用保存領域９３０は、デコードを終えたプロキシ素材について、デコード前の圧縮データを一定数（或る程度のフレーム数）だけ保存する領域であり、ハードディスクやフラッシュメモリなどの記録媒体で構成される。
【００３１】
再生装置９０１の動作について、図２に例示するフローチャートを参照して説明する。
再生装置９０１は、制御装置９０３から再生速度変更指示（あるいは表示フレームの指定）を受信すると（Ｓ１００）、指示された再生速度（あるいは指定された表示フレーム）の情報と、現在の再生フレーム位置の情報を基に、要求すべき素材のフレーム位置（要求フレーム）を自動的に決定する（Ｓ１１０）。
【００３２】
ここで、要求フレームの決定（Ｓ１１０）は、制御装置９０３からの再生速度変更指示（Ｓ１００）の制御時の一度のみならず、表示フレームの更新や後述するデータ要求（Ｓ１４０，Ｓ２１０）のタイムアウト（に伴うリトライ）などの契機毎に継続して行なわれる。
また、要求すべきフレームデータは、全フレームでも、フレーム間引きでもよい。
なお、ＨＤ−ＳＤＩ出力２１０及び再生環境２２０は、常に約２９．９７ｆｐｓに対応しており、素材の等倍速以外の倍速再生映像は、再生装置９０１において素材データのフレームを重複させたり間引いたりすることで実現する。
【００３３】
次に、再生装置９０１は、再生開始に備えて、その時に再生している映像を一時停止する（Ｓ１２０）。
ここで、再生開始処理が間に合う限りにおいて、映像の一時停止は１フレームしか無くても良く、必ず２フレーム以上画像を重複させて映像の連続性自体を分断することに意味は無い。
なお、特に断りのない限り、後述する「映像の停止」とは、映像及び音声の両方の同期した停止を意味する。また、「フレームデータ」についても、同一フレームの映像及び音声データ両方を意味する。
【００３４】
次に、再生装置９０１は、要求フレームの決定後、そのフレーム位置のフレームデータが装置内に存在するか否かについて、各保存領域を検索して判断する（Ｓ１３０，Ｓ２００）。
このとき、正方向メモリであるＨＤ素材用圧縮素材メモリ１００、ＨＤ素材用非圧縮素材メモリ１２０、プロキシ用圧縮素材メモリ３００、プロキシ用保存領域９３０、プロキシ用非圧縮素材メモリ３２０に対する検索だけでなく、逆方向メモリであるＨＤ素材用逆方向圧縮素材メモリ１６０、プロキシ用逆方向非圧縮素材メモリ３３０や、統合メモリである統合非圧縮素材メモリ１３０、統合逆方向非圧縮素材メモリ１４０に対する検索も行う。これにより、例えば正方向再生しているときに逆方向の再生を指示された場合、統合逆方向非圧縮素材メモリ１４０にデータが残っている可能性があるので、統合逆方向非圧縮素材メモリ１４０からデータが発見された場合に当該データを統合非圧縮素材メモリ１３０に転送することで、素早く再生を再開すること等が可能となる。
なお、ＨＤ素材の圧縮データの存否はＨＤ素材用圧縮素材メモリ１００およびＨＤ素材用逆方向圧縮素材メモリ１６０の検索により判断でき、ＨＤ素材の非圧縮データの存否はＨＤ素材用非圧縮素材メモリ１２０および統合非圧縮素材メモリ１３０および統合逆方向非圧縮素材メモリ１４０の検索により判断でき、プロキシ素材の圧縮データの存否はプロキシ用圧縮素材メモリ３００およびプロキシ用逆方向非圧縮素材メモリ３３０およびプロキシ用保存領域９３０の検索により判断でき、プロキシ素材の非圧縮データの存否はプロキシ用非圧縮素材メモリ３２０および統合非圧縮素材メモリ１３０および統合逆方向非圧縮素材メモリ１４０の検索により判断できる。
【００３５】
次に、再生装置９０１は、要求フレームのデータを装置内に発見した場合、圧縮データであれば、そのデコードを開始する（Ｓ１４０，Ｓ２２０）。また、非圧縮データであれば、ＨＤ−ＳＤＩ出力２１０としての出力を待機する。
ここで、ＨＤ素材の圧縮データは、ＨＤ素材デコードライブラリ１１０によりデコードされ、その結果の非圧縮データがＨＤ素材用非圧縮素材メモリ１２０に格納される。また、プロキシ素材の圧縮データは、プロキシ素材デコードライブラリ３１０によりデコードされ、その結果の非圧縮データがプロキシ用非圧縮素材メモリ３２０に格納される。
【００３６】
また、再生装置９０１は、装置内に保持しているフレームデータが不足すると判断した場合（要求フレームのデータを装置内から発見できなかった場合）、ＨＤ素材サーバー２１０あるいはプロキシサーバー９２０に対して不足フレームのデータ要求を行い、該当するデータを取得する（Ｓ１４０，Ｓ２１０）。
【００３７】
なお、プロキシ素材のデータ要求（Ｓ２１０）は、プロキシ素材の検索（Ｓ２００）と同時に実施し、この検索に並行してサーバー転送（該当するプロキシ素材のデータ取得）を受けた後、メモリ上で重複するフレームのプロキシ素材のデータを削除することとしても良い。すなわち、要求フレームのプロキシ素材のデータが装置内に存在するか否かに関わらずプロキシサーバー９２０にデータ要求を行い、その後、要求フレームのプロキシ素材のデータが装置内に既に存在していることが判明した場合に、装置内のデータまたはプロキシサーバー９２０から取得したデータの一方を削除することで、検索結果を待ってデータ要求を行う場合に比べて処理時間の短縮を図ることができる。
【００３８】
また、ＨＤ素材のデータ要求（Ｓ１４０）は、Ｓ１１０で要求すべき素材のフレームデータを決定した直後、すなわち、プロキシ素材のデータ要求（Ｓ２１０）と同時に実施してもよく、あるいは、プロキシ素材のデータ要求（Ｓ２１０）を先行して実施させることとしても良い。
【００３９】
なお、ＨＤ素材のデータ要求（Ｓ１４０）よりもプロキシ素材のデータ要求（Ｓ２１０）を先行して実施する場合には、プロキシ素材側に優先してネットワーク帯域を割り当て、一定量のプロキシ素材の圧縮データを取得した後、プロキシ素材のデータ取得数とのバランスを取りながらＨＤ素材側のネットワーク帯域を徐々に増やしていく運用が想定される。
【００４０】
再生装置９０１は、プロキシサーバー９２０からプロキシ素材の圧縮データを取得してプロキシ用圧縮素材メモリ３００に格納し次第、プロキシ素材デコードライブラリ３１０でそのデコードを開始する（Ｓ２２０）。
【００４１】
プロキシ素材のデコード後は、デコードされたプロキシ素材の非圧縮データをプロキシ用非圧縮素材メモリ３２０に格納し、その先のＨＤ素材／プロキシ素材統合の非圧縮素材メモリ１３０に転送された後、ＨＤ−ＳＤＩインターフェースボード９０２の出力バッファ２００に保持され、ＨＤ−ＳＤＩ出力２１０として出力されて再生環境２２０で再生出力される（Ｓ２３０）。
【００４２】
ここで、本例の再生装置９０１では、装置内の各メモリ（ＨＤ素材用非圧縮素材メモリ１２０やプロキシ素材用非圧縮素材メモリ３２０や統合非圧縮素材メモリ１３０など）を物理的に共通の記録媒体を用いて実現し、各メモリ内に格納（保存）したデータをアドレスによって管理しており、同一の実データをそれぞれ異なる領域に重複保持することや、実データのコピー・転送処理などは実際には実施しない。
【００４３】
例えば、プロキシ素材用非圧縮素材メモリ３２０と統合非圧縮素材メモリ１３０の両方に存在する同一フレームのデータは、同一アドレスに存在するデータをプロキシ素材用非圧縮素材メモリ３２０と統合非圧縮素材メモリ１３０の両方が互いに参照しているだけであり、これらメモリ間の実データ転送処理は実施しない。一方、ＨＤ−ＳＤＩインターフェースボードのバッファ２００に対するデータ転送処理については、転送元の統合非圧縮素材メモリ１３０と転送先のバッファ２００は物理的に異なる領域であるため、実際にデータ転送処理を実施する。
【００４４】
再生装置９０１は、プロキシ素材の再生中もＨＤ素材のサーバー要求（Ｓ１４０）及びＨＤ素材のデコード（Ｓ１５０）を続けながら、ＨＤ−ＳＤＩインターフェースボードのバッファ２００上にある再生済みのフレームデータは適宜破棄する。
【００４５】
また、再生装置９０１は、ＨＤ素材サーバー９１０からＨＤ素材の圧縮データを取得すると、プロキシ素材の圧縮データを格納するプロキシ用圧縮素材メモリ３００とは別領域のＨＤ素材用圧縮素材メモリ１００にＨＤ素材の圧縮データを格納し、ＨＤ素材デコードライブラリ１１０でデコードした後、デコードされたＨＤ素材の非圧縮データをＨＤ素材用非圧縮素材メモリ１２０に蓄積する（Ｓ１５０）。
【００４６】
その後、再生装置９０１は、ＨＤ素材の再生の安定性を確保可能な一定量以上のＨＤ素材のデータを装置内の各メモリ（ＨＤ素材用圧縮素材メモリ１００やＨＤ素材用非圧縮素材メモリ１２０）に蓄積すると、プロキシ素材の再生（Ｓ２３０）からＨＤ素材の再生（Ｓ１６０）に切り替える。
再生の切り替えは、統合非圧縮素材メモリ１３０が参照するアドレスを、プロキシ素材用非圧縮素材メモリ３２０上のデータからＨＤ素材用非圧縮素材メモリ１２０上のデータに書き換えることで実現する。
【００４７】
ここで、再生装置９０１は、プロキシ素材とＨＤ素材の切り替え点において、音声の圧縮方式に応じて音声波形がプロキシ素材とＨＤ素材とで大きく異なる可能性が生じる場合には、違和感を最小としながら音声ノイズを抑制するために、数十サンプル程度だけ切り替え点近傍の音声に対してフェードアウトとフェードイン、あるいはクロスフェードを行う。
【００４８】
再生装置９０１は、再生後も、その再生に用いた圧縮／非圧縮のＨＤ素材やプロキシ素材のデータを装置内の保存領域に保持する。また、ＨＤ素材の再生（Ｓ１６０）へ切り替えた後は、デコード済みだが再生が不要となったプロキシ素材の非圧縮データを必要に応じて破棄してもよい。
また、再生とは逆方向の非圧縮データについては、ＨＤ素材とプロキシ素材で統合したメモリ領域である統合逆方向非圧縮素材メモリ１４０に保持する。統合逆方向非圧縮素材メモリ１４０に当初プロキシ素材のデータが入っていても、ＨＤ素材のデータ取得後は、統合逆方向非圧縮素材メモリ１４０のデータをＨＤ素材用非圧縮素材メモリ１２０のデータに書き換える。ただし、ＨＤ素材のデコード（Ｓ１５０）が再生に追いつかない場合などは、再生方向のデコードを最優先にして逆方向のデコードを実施せず、統合逆方向非圧縮素材メモリ１４０のデータの書き換えは実施しない。
【００４９】
ここで、ＨＤ−ＳＤＩ出力２１０を再生環境２２０で安定的に再生出力（Ｓ１６０，Ｓ２３０）には、プロキシサーバー９２０からのデータ転送時間、デコード処理時間、データ転送処理による揺らぎ等を吸収して再生を安定化させるために、各メモリにおいて一定数（或る程度のフレーム数）のデータが保持されていることを確認する必要がある。
【００５０】
これらの点を考慮して、本例の再生装置９０１では、デコードを終えたプロキシ素材について、プロキシ用圧縮素材メモリ３００に格納されているデコード前の圧縮データを一定数だけプロキシ用保存領域９３０に転送して保存するようにしてある。これにより、プロキシ用圧縮素材メモリ３００のデータ容量を物理的に拡張することができ、プロキシ用保存領域９３０に保存されているプロキシ素材の圧縮データについてはプロキシサーバー９２０からのデータ転送を省略することができる。
【００５１】
なお、プロキシ素材は、ＨＤ素材よりデータ量が小さく圧縮されている必要があるが、音声については比較的データが小さいので非圧縮のまま扱うこととしても良い。
また、プロキシ素材は、高圧縮ながら映像・音声ともにＨＤ素材との違和感が最小限である必要がある。
また、プロキシ素材は、フレーム間圧縮や高圧縮も有効な手段であるが、データ転送やデコードによる遅延を最小限にして、プロキシ素材を併用する利点を残す必要がある。
【００５２】
なお、ＨＤ素材・プロキシ素材ともに、映像についてフレーム間圧縮を行っている場合は、要求フレームに対して、要求フレームをデコードできるように適宜Ｉフレーム（Ｉｎｔｒａ−ｃｏｄｅｄ  Ｆｒａｍｅ）やＰフレーム（Ｐｒｅｄｉｃｔｅｄ  Ｆｒａｍｅ）など、参照しているフレームを要求フレームと共に転送するようにする。
また、音声についても同様で、要求フレーム位置の音声サンプルから再生できるように、デコードのために圧縮単位をともに転送するようにする。
【００５３】
また、プロキシ素材は、シームレスな再生切り替え（プロキシ素材の再生からＨＤ素材の再生への切り替え）のために、ＨＤ素材との時間位相にズレを生じない必要がある。
また、プロキシ素材は、ＥＳ（Ｅｌｅｍｅｎｔａｒｙ  Ｓｔｒｅａｍ）形式、ＴＳ（Ｔｒａｎｓｐｏｒｔ  Ｓｔｒｅａｍ）形式、ストリーミング形式のデータ送信、フレームテーブル等によって、プロキシ素材の全編ではなく、指定されたフレームに該当する素材データを抽出し、サーバーからデータ転送できることが望ましい。
【００５４】
また、再生環境２２０が音声のサンプリング周波数を４８ｋＨｚに限定している場合には、再生装置９０１は、ＨＤ−ＳＤＩ出力２２０までにプロキシ音声、倍速音声を適宜リサンプルして４８ｋＨｚに合わせるようにする。
【００５５】
以上説明したように、本例の再生装置９０１は、再生指示された素材に係るＨＤ素材のデータ（本発明に係る第１素材データ）をサーバーから取得して再生処理する機能と、再生指示された素材に係るプロキシ素材のデータ（本発明に係る第２素材データ）をサーバーから取得して再生処理する機能と、を備えており、再生指示された素材について、ＨＤ素材の再生処理の準備（サーバーからのデータ取得やデコード処理等）が完了するまではプロキシ素材の再生処理を実施し、ＨＤ素材の再生処理の準備が完了した段階でＨＤ素材の再生処理に切り替える構成となっている。
【００５６】
このため、再生指示された当初は、比較的速く再生処理の準備を終えることができるプロキシ素材の再生処理を実施するので、良好な再生応答性能を得ることが可能であるとともに、ＨＤ素材の再生処理の準備が完了した段階でＨＤ素材の再生に切り替えるので、再生開始後の或る程度の期間を除いて高品位な素材再生を実現することができ、高品位を要する用途でも、それに支障を来たすことの無い視認性を得ることが可能となる。
【００５７】
更に、本例の再生装置９０１は、再生指示された素材について、ＨＤ素材のデータ取得に先行または並行して、プロキシ素材のデータ取得を行う構成となっている。
このため、再生当初は高品位な素材再生ではないとはいえ、素材再生の準備を速やかに完了させることができ、再生応答性能の更なる改善を図ることが可能である。
【００５８】
また、本手法では、ＨＤ素材を再生する機能とプロキシ素材を再生する機能とを有効に活用して上記の処理を行うので、コスト発生を抑制しつつ、再生応答性能の改善を図ることができる。
また、プロキシ素材は大きく視認性を損なうものでは無いので、再生当初における素材内容の把握に大きな支障を来すこともない。
【００５９】
ここで、本例では、本発明に係る第１再生手段の機能を、ＨＤ素材用圧縮素材メモリ１００、ＨＤ素材デコードライブラリ１１０、ＨＤ素材用非圧縮素材メモリ１２０等により実現し、本発明に係る第２再生手段の機能を、プロキシ用圧縮素材メモリ３００、プロキシ素材デコードライブラリ３１０、プロキシ用非圧縮素材メモリ３２０等により実現し、再生処理の切り替え制御の機能を、図示しないプロセッサ等により実現している。
【００６０】
なお、本発明は、例えば、本発明に係る処理を実行する方法或いは方式や、このような方法や方式を実現するためのプログラムや当該プログラムを記憶する記憶媒体などとして提供することも可能である。
【００６１】
すなわち、例えば、ビデオサーバーシステムにおいて、ビデオサーバーシステム上で再生制御を受け、ビデオサーバーシステム上のデータ蓄積サーバーから映像素材データを取得して再生処理することを特徴とする再生装置における再生応答改善方法として把握することができる。
【００６２】
また、例えば、通常用いる大容量の映像素材データをデータ取得して再生処理するステップと、低用量の映像素材データをデータ取得して再生処理するステップと、を有することを特徴とする再生装置における再生応答改善方法として把握することができる。
【００６３】
また、例えば、上記の再生応答改善方法において、更に、大容量の映像素材データをデータ取得して再生処理するステップに先行、または並行して、低用量の映像素材データをデータ取得して再生処理するステップを有することを特徴とする再生装置における再生応答改善方法として把握することができる。
【００６４】
また、例えば、上記の再生応答改善方法において、更に、大容量の映像素材データの再生処理の準備が完了したことを検知するステップと、低用量の映像素材の再生から大容量の映像素材の再生に切り替えるステップと、を有することを特徴とする再生装置における再生応答改善方法として把握することができる。
【産業上の利用可能性】
【００６５】
本発明は、映像及び音声を含む素材の再生処理を行う再生装置や、当該再生装置を備えたビデオサーバーシステム等の種々の用途に利用することができる。
【符号の説明】
【００６６】
９０１：再生装置、  ９０３：制御装置、  ９１０：ＨＤ素材サーバー、  ９２０：プロキシサーバー、  ２１０：ＨＤ−ＳＤＩ出力、  ２２０：再生環境、
１００：ＨＤ素材用圧縮素材メモリ、  １１０：ＨＤ素材デコードライブラリ、  １２０：ＨＤ素材用非圧縮素材メモリ、  １３０：統合非圧縮素材メモリ、  １４０：統合逆方向非圧縮素材メモリ、  １６０：ＨＤ素材用逆方向圧縮素材メモリ、  ３００：プロキシ用圧縮素材メモリ、  ３１０：プロキシ素材デコードライブラリ、  ３２０：プロキシ用非圧縮素材メモリ、  ３３０：プロキシ用逆方向非圧縮素材メモリ、  ９０２：ＨＤ−ＳＤＩインターフェースボード、  ９３０：プロキシ用保存領域
【図１】
2014183519.tif 000003
【図２】
2014183519.tif 000004